(57)【要約】【課題】  ディスク状の記録媒体の中央部に発生する負圧を解消し、板部の強度を確保するための対策を必要とせず、異物の侵入を防止でき、記録媒体の回転に伴う風切り音を低減することが可能な記録媒体駆動装置の提供。【解決手段】  クランパカバー６に貫通孔６０を設けた。また、貫通孔６０をエッチング加工により形成するようにした。また、貫通孔６０から取り込んだ空気の流れを、スピンドルモータ１の回転方向と反対の回転方向へ誘導する複数の凸部５２を備えた。また、凸部５２同士の内周側の間隔が凸部５２同士の外周側の間隔より狭くなるようにした。【選択図】        図２
2005267754.tif 000002
【特許請求の範囲】
【請求項１】
モータの回転軸に固着されたテーブルに対向する板部に形成された嵌合孔に遊嵌され、前記テーブルとの間でディスク状の記録媒体を挾持するクランパと、該クランパを覆うように前記板部の一面に固着してあるクランパカバーとを備える記録媒体駆動装置において、
前記クランパカバーに貫通孔を設けてあることを特徴とする記録媒体駆動装置。
【請求項２】
前記クランパカバーは金属製であり、
前記貫通孔をエッチング加工により設けてあることを特徴とする請求項１に記載の記録媒体駆動装置。
【請求項３】
前記嵌合孔の周囲に配されて放射状をなし、前記モータの回転方向と逆方向へ延在する複数の凸部を前記板部の前記一面に設けてあることを特徴とする請求項１又は２に記載の記録媒体駆動装置。
【請求項４】
前記凸部同士の内周側の間隔は、前記凸部同士の外周側の間隔より狭いことを特徴とする請求項３に記載の記録媒体駆動装置。
【発明の詳細な説明】
【技術分野】
【０００１】
本発明は、ディスク状の記録媒体を用いてデータの記録及び／又は再生をする記録媒体駆動装置に関する。
【背景技術】
【０００２】
近年、光ディスクの駆動装置、例えば、ＣＤ−ＲＯＭ(Compact Disc-Read Only Memory)ドライブ装置、ＤＶＤ(Digital Versatile Disc)ドライブ装置は、データの読み出し速度を高めるべく、ディスク状の記録媒体を高速で回転するようになっている。このような記録媒体駆動装置は、モータの回転軸に固着されたテーブルと、テーブルに対向した板部の嵌合孔に遊嵌されたクランパとの間に記録媒体を挾持し、モータの回転により記録媒体を回転させる。記録媒体が高速で回転させられた場合、記録媒体の表面付近の空気は、記録媒体の回転の作用により記録媒体の回転方向へ流れ、記録媒体の外縁部より外側へ排出される。これにより記録媒体の中央部に負圧が発生し、この負圧の作用により記録媒体が板部に引き付けられ、回転しているモータに負担がかかるという問題があった。また、記録媒体の高速回転に伴って大きな風切り音が発生し、騒音になるという問題もあった。
【０００３】
これらの問題を解決する手段として、板部に孔、スリット又は切欠きを設け、発生した負圧の作用により孔、スリット又は切欠きから空気を取り込んで負圧を解消する記録媒体駆動装置が開示されている（例えば、特許文献１参照。）。
【特許文献１】特開２００３−１９６９０４号公報
【発明の開示】
【発明が解決しようとする課題】
【０００４】
特許文献１に開示された記録媒体駆動装置は、板部に孔、スリット又は切欠きを設けてある。板部は、記録媒体をテーブルから取り外す場合に、テーブルとクランパとの挾持力を超える力をクランパに加えてクランパをテーブルから引き離す手段でもあるから、孔、スリット又は切欠きを設けることに起因する強度低下を避けるために板部の肉厚を増す等の対策が必要になり、コストをさらに上昇させるという問題があった。
【０００５】
また、板部は、前述した強度の観点から薄肉化が困難であるから、板部に形成する孔、スリット又は切欠きを、ミクロンオーダーの大きさにし難く、孔、スリット又は切欠きを通してモータ側に埃、塵等の異物が侵入し、モータ、その他の駆動機構に悪影響を及ぼすという問題があった。
【０００６】
本発明は斯かる事情に鑑みてなされたものであり、板部と異なる部分に貫通孔を設けることにより、ディスク状の記録媒体の中央部に発生する負圧を解消すると共に、板部の強度を確保するための対策を必要としない記録媒体駆動装置を提供することを目的とする。
【０００７】
また、本発明は、微細な貫通孔の穿設を可能とすることにより、異物のモータ側への侵入を防止することが可能な記録媒体駆動装置を提供することを目的とする。
【０００８】
また、本発明は、貫通孔から取り込んだ空気の流れを記録媒体の回転方向の反対方向へ誘導する構成とすることにより、記録媒体の回転に伴う風切り音を低減することが可能な記録媒体駆動装置を提供することを目的とする。
【０００９】
さらに、本発明は、貫通孔から取り込んだ空気の流速を上昇させることが可能な構成とすることにより、記録媒体の回転に伴う風切り音をより低減することが可能な記録媒体駆動装置を提供することを目的とする。
【課題を解決するための手段】
【００１０】
本発明に係る記録媒体駆動装置は、モータの回転軸に固着されたテーブルに対向する板部に形成された嵌合孔に遊嵌され、前記テーブルとの間でディスク状の記録媒体を挾持するクランパと、該クランパを覆うように前記板部の一面に固着してあるクランパカバーとを備える記録媒体駆動装置において、前記クランパカバーに貫通孔を設けてあることを特徴とする。
【００１１】
本発明においては、モータの回転によりディスク状の記録媒体が回転し、記録媒体の回転の作用により記録媒体の表面付近の空気が回転方向へ流れる。記録媒体の回転方向へ流れた空気は、記録媒体の外縁部より外側に排出され、記録媒体の中央部が負圧になる。この負圧の作用によりクランパカバーの貫通孔から空気が取り込まれて記録媒体の中央部に供給され、記録媒体の中央部に発生した負圧が解消する。
【００１２】
本発明に係る記録媒体駆動装置においては、前記クランパカバーは金属製であり、前記貫通孔をエッチング加工により設けてあることを特徴とする。
【００１３】
本発明においては、貫通孔をエッチング加工で設けるから、非常に微細な貫通孔を多数形成することが容易にでき、多くの空気を取り込むことが可能であると共に、埃、塵等の異物が侵入しない。
【００１４】
本発明に係る記録媒体駆動装置においては、前記嵌合孔の周囲に配されて放射状をなし、前記モータの回転方向と逆方向へ延在する複数の凸部を前記板部の前記一面に設けてあることを特徴とする。
【００１５】
本発明においては、貫通孔から取り込まれた空気は、凸部の間で誘導されて記録媒体の回転方向と反対の方向に流れつつ、記録媒体の中央部に供給される。貫通孔から取り込まれた空気の流れは、記録媒体の回転方向への空気の流れを打ち消すように作用する。
【００１６】
本発明に係る記録媒体駆動装置においては、前記凸部同士の内周側の間隔は、前記凸部同士の外周側の間隔より狭いことを特徴とする。
【００１７】
本発明においては、貫通孔から取り込まれた空気は凸部の間を流れ、空気の流れは、嵌合孔に近い側で凸部同士の間隔が狭くなっているから、嵌合孔に向かうほど流速が上昇する。貫通孔から取り込まれた空気は、流速が上昇した状態で記録媒体の中央部に供給されるから、記録媒体の回転方向への空気の流れを打ち消す力が強い。
【発明の効果】
【００１８】
本発明に係る記録媒体駆動装置においては、クランパカバーに貫通孔を設けたから、板部の強度を確保するための対策を施す必要がなく、また、貫通孔から空気が取り込まれ、ディスク状の記録媒体の回転に伴って発生する負圧が解消されてモータに負担がかからない。
【００１９】
また、本発明に係る記録媒体駆動装置においては、貫通孔をエッチング加工で設けたから、非常に微細な貫通孔を多数形成することが容易にできる。従って、多くの空気を取り込んで高い負圧を解消することが可能であると共に、埃、塵等の異物がモータ側に侵入しないから、モータに負担をかけることがなく、異物に起因する不具合も引き起こさない。
【００２０】
また、本発明に係る記録媒体駆動装置においては、貫通孔から取り込まれた空気は、凸部の間で誘導されて記録媒体の回転方向と反対の回転方向に流れつつ、記録媒体の中央部に供給されるから、記録媒体の回転方向への空気の流れを打ち消すように作用し、風切り音を低減することができる。
【００２１】
さらに、本発明に係る記録媒体駆動装置においては、凸部同士の内周側の間隔が凸部同士の外周側の間隔より狭いから、貫通孔から取り込まれた空気は、流速を上昇させながら凸部同士の間を流れ、記録媒体の中央部に供給される。従って、記録媒体の回転方向への空気の流れを打ち消す力が強いから、風切り音をより低減することができる。
【発明を実施するための最良の形態】
【００２２】
以下、本発明をその実施の形態を示す図面に基づいて詳述する。図１は本発明に係る記録媒体駆動装置の分解斜視図であり、図２は本発明に係る記録媒体駆動装置の要部の断面図である。
【００２３】
図において７は、本発明に係る記録媒体駆動装置の本体であり、本体７の内部にはスピンドルモータ１が配設されている。スピンドルモータ１の回転軸１０の先端部は、円盤状をなすターンテーブル２の一面の中央部に固着され、この固着によりターンテーブル２は、スピンドルモータ１の回転に連動して回転するように構成されている。
【００２４】
ターンテーブル２の他面の中央部には、短円柱状をなす嵌合凸部２０が設けられ、嵌合凸部２０の外径は、ＣＤ−ＲＯＭ又はＤＶＤ等のディスク状をなす記録媒体３の中央部に形成された略円形をなす嵌合孔３０の内径に対応している。また嵌合凸部２０の端面には、磁性体２１が埋設されている。
【００２５】
ターンテーブル２の他面側には、円盤状をなすクランパ４がターンテーブル２と略平行になるように設けられている。クランパ４のターンテーブル２側となる一面の中央部には、嵌合凸部２０に対応した嵌合凹部４０が形成され、クランパ４の外周面には、鍔状の係止部４２がクランパ４の他面側に設けられている。クランパ４の他面には、ヨークと呼ばれる被磁着体４１が固定されており、被磁着体４１は略円形をなす鉄板である。
【００２６】
また、ターンテーブル２の他面側には、本発明に係る記録媒体駆動装置の筐体の一部を構成する板部５が配されている。板部５には、外面から内面側へ凹んだ略円形の収容部５０が、クランパ４に対応する位置で形成され、収容部５０の内径はクランパ４の係止部４２の外径より大きくされている。
【００２７】
収容部５０の底面には、クランパ４の外周面の直径より大きく、クランパ４の係止部４２の外径より小さい嵌合孔５１が形成され、嵌合孔５１には、クランパ４が遊嵌されている。なお、クランパ４が記録媒体３を挾持している場合には、クランパ４の外周面と嵌合孔５１の周縁部との間に適宜の隙間ができるように、しかもクランパ４の係止部４２と収容部５０の底面との間にも適宜の隙間ができるように構成してあり、クランパ４と板部５とは非接触になる。
【００２８】
図３は収容部５０の底面に設けられた凸部の形状を示す説明図であり、図４（ａ）は図３のＸ方向から見た端面図であり、図４（ｂ）は図３のＹ方向から見た端面図である。
【００２９】
収容部５０の底面には、放射状をなすと共に、スピンドルモータ１の回転方向と逆方向へ延在する複数の凸部５２，５２，…を設けてあり、凸部５２，５２，…は、凸部５２，５２，…間の通気溝５３，５３，…を通過する空気が、記録媒体３の回転方向（図２の矢印Ａの方向）と反対の回転方向（図２の矢印Ｂの方向）へ流れるように誘導する。凸部５２，５２，…同士の内周側の間隔Ｄは、凸部５２，５２，…同士の外周側の間隔Ｃより狭く、通気溝５３，５３，…を通過する空気の流速が上昇するように形成されている。
【００３０】
収容部５０は、図２に示すように、板部５の外面に接着された円板状のクランパカバー６により覆われており、クランパカバー６は、クランパ４の嵌合孔５１からの脱落を防止する。クランパカバー６は、ステンレス鋼で形成され、多数の微細な貫通孔６０，６０，…をエッチング加工にて設けてある。貫通孔６０，６０，…の直径は、特に限定されないが、空気の流通及び防塵の観点から５μｍ〜１５μｍが好ましい。
【００３１】
貫通孔６０，６０，…を形成するエッチング加工の方法は、例えば、所定の形状に成形加工されたステンレス鋼板の表面を清浄にし、フォトレジストを塗布してから所定のパターンを有する版を通して露光し、その後、腐蝕液に浸漬して貫通孔６０，６０，…の部分の金属を除去する。
【００３２】
以上の構成により、記録媒体３の嵌合孔３０内にターンテーブル２の嵌合凸部２０を導入するようにして記録媒体３の一面をターンテーブル２の他面に当接し、ターンテーブル２の嵌合凸部２０とクランパ４の嵌合凹部４０とを嵌め合わせるようにしてクランパ４の一面を記録媒体３の他面に当接すれば、磁性体２１の磁力により被磁着体４１が磁着され、ターンテーブル２及びクランパ４の間に記録媒体３が挾持される。
【００３３】
このように挾持された記録媒体３は、スピンドルモータ１の回転に連動して回転する。記録媒体３が高速で回転した場合、この回転の作用により記録媒体３の表面付近の空気が回転方向に流れ、記録媒体３の中央部の空気が外縁部より外側に排出されて記録媒体３の中央部に負圧が発生する。
【００３４】
図５は、空気の流れを説明する説明図である。
【００３５】
記録媒体３の中央部に発生した負圧の作用によりクランパカバー６の貫通孔６０，６０，…から空気が取り込まれ、取り込まれた空気は、通気溝５３，５３，…を、流速を上げながら通過し、嵌合孔５１とクランパ４との間を通過して記録媒体３の中央部に供給され、該中央部に発生した負圧を解消する。
【００３６】
本発明に係る記録媒体駆動装置は、クランパカバー６に貫通孔６０，６０，…を設けたから、板部５の強度を確保するための対策を施す必要がなく、また、記録媒体３の中央部に発生する負圧を解消してスピンドルモータ１に負担をかけることがない。
【００３７】
また、本発明に係る記録媒体駆動装置は、多数の貫通孔６０，６０，…をエッチング加工で形成したから、貫通孔６０，６０，…を非常に微細な孔にすることができ、十分な空気量を取り込んで負圧を解消することが可能であると共に、埃、塵等の異物の侵入を防止することができる。
【００３８】
さらに、本発明に係る記録媒体駆動装置は、貫通孔６０，６０，…から取り込んだ空気を、記録媒体３の回転方向と反対の回転方向へ誘導する凸部５２，５２，…を備えたから、記録媒体３の回転方向への空気の流れを打ち消すようにすることができ、風切り音を低減することができる。
【００３９】
さらにまた、本発明に係る記録媒体駆動装置は、凸部５２，５２，…同士の内周側の間隔Ｄを凸部５２，５２，…同士の外周側の間隔Ｃより狭くしてある。従って、凸部５２，５２，…の間の通気溝５３，５３，…を通過する空気の流速を上昇させることができるから、記録媒体３の回転方向への空気の流れを打ち消す力がより強く、風切り音をより低減することができる。
【００４０】
以上、本発明に係る記録媒体駆動装置を、実施の形態を示した図面に基づいて説明したが、本発明に係る記録媒体駆動装置は、前述した実施の形態に示した構成に限定されず、本発明の趣旨に逸脱しない範囲にて一部の構成を追加、削除又は変更してもよい。
【００４１】
例えば、前述した実施の形態では、エッチング加工によって多数の微細な貫通孔６０，６０，…を設けたが、貫通孔６０，６０，…を設けるための加工方法は、エッチング加工に限定されず、切削加工、プレス加工等の加工方法を採用してもよい。また、貫通孔６０，６０，…は、多数である必要もなく、一つであってもよい。
【００４２】
また、前述した実施の形態では、エッチング加工において、クランパカバー６の残留させるべき部分を腐蝕から保護する被膜を、フォトレジストを用いて形成したが、被膜の形成はフォトレジストに限定されず、例えば、塗装又は被膜貼付けとしてもよい。
【００４３】
さらに、前述した実施の形態では、クランパカバー６の材料をステンレス鋼としたが、クランパカバー６の材料はステンレス鋼に限定されず、エッチング加工することが可能な金属材料であればよい。また、貫通孔６０，６０，…をエッチング加工で形成しない場合には、クランパカバー６の材料をエッチング加工に不向きな材料としても差し支えない。
【００４４】
さらにまた、前述した実施の形態では、凸部５２，５２，…同士の内周側の間隔Ｄを凸部５２，５２，…同士の外周側の間隔Ｃより狭くしてあるが、間隔Ｄを間隔Ｃより狭くする必要はなく、例えば、間隔Ｄと間隔Ｃとが同じになるように形成してもよい。
【００４５】
また、前述した実施の形態では、凸部５２，５２，…を複数としたが、凸部５２，５２，…は、複数である必要はなく、一つとしてもよい。また、凸部５２，５２，…を備えない構成としてもよい。
【図面の簡単な説明】
【００４６】
【図１】本発明に係る記録媒体駆動装置の分解斜視図である。
【図２】本発明に係る記録媒体駆動装置の要部の断面図である。
【図３】収容部の底面に設けられた凸部の形状を示す説明図である。
【図４】図３のＸ方向から見た端面図、及び図３のＹ方向から見た端面図である。
【図５】空気の流れを説明する説明図である。
【符号の説明】
【００４７】
１  スピンドルモータ（モータ）
２  ターンテーブル（テーブル）
３  記録媒体
４  クランパ
５  板部
６  クランパカバー
１０  回転軸
５１  嵌合孔
５２  凸部
６０  貫通孔
【図１】
2005267754.tif 000003
【図２】
2005267754.tif 000004
【図３】
2005267754.tif 000005
【図４】
2005267754.tif 000006
【図５】
2005267754.tif 000007